(57)【要約】  １又はそれ以上のユーザ装置のためのコンテンツ配信方法であって、１又はそれ以上のユーザ装置を１つのユーザドメインに関連付けるステップと、ユーザドメインにリンクされた１又はそれ以上のユーザアカウントでコンテンツを取得するステップと、所定の特権に従って１又はそれ以上のユーザ装置を使用して、取得したコンテンツにアクセスするステップとを含み、１又はそれ以上のユーザ装置の個々のユーザ装置のアクセス権は、個々のユーザ装置がユーザドメインに関連付けられユーザドメインとアクティブな状態にある間有効となる。【選択図】図２
2010539607.tif 000002
【特許請求の範囲】
【請求項１】
１又はそれ以上のユーザ装置のためのコンテンツ配信方法であって、
前記１又はそれ以上のユーザ装置を１つのユーザドメインに関連付けるステップと、
前記ユーザドメインにリンクされた１又はそれ以上のユーザアカウントでコンテンツを取得するステップと、
所定の特権に従って前記１又はそれ以上のユーザ装置を使用して、前記取得したコンテンツにアクセスするステップと、
を含み、
前記１又はそれ以上のユーザ装置の個々のユーザ装置のアクセス権は、前記個々のユーザ装置が前記ユーザドメインに関連付けられ前記ユーザドメインとアクティブな状態にある間有効となる、
ことを特徴とする方法。
【請求項２】
前記コンテンツに対する権利を取得するステップをさらに含む、
ことを特徴とする請求項１に記載の方法。
【請求項３】
前記取得した権利からライセンスを得るステップをさらに含み、前記ライセンスが、前記ユーザドメイン、前記個々のユーザ装置、及び前記コンテンツに一意に関連付けられる、
ことを特徴とする請求項２に記載の方法。
【請求項４】
前記個々のユーザ装置に適用される前記ライセンスを使用して前記所定の特権を行使するステップをさらに含む、
ことを特徴とする請求項３に記載の方法。
【請求項５】
前記個々のユーザ装置による前記ユーザドメインとのコンタクト時に、前記個々のユーザ装置のアクティブな状態をリフレッシュするステップをさらに含む、
ことを特徴とする請求項１に記載の方法。
【請求項６】
前記個々のユーザ装置による前記ユーザドメインとのコンタクトがない所定の期間後に、前記個々のユーザ装置のアクティブな状態を非アクティブな状態に変更するステップをさらに含む、
ことを特徴とする請求項１に記載の方法。
【請求項７】
前記ユーザドメインから前記個々のユーザ装置を分離するステップをさらに含む、
ことを特徴とする請求項１に記載の方法。
【請求項８】
前記個々のユーザ装置を別のユーザドメインに関連付けるステップをさらに含む、
ことを特徴とする請求項７に記載の方法。
【請求項９】
１又はそれ以上のユーザ装置のためのコンテンツ配信システムであって、
ユーザドメインを管理するように構成されたオープンマーケットコーディネータ（ＯＭＣ）を含み、
前記１又はそれ以上のユーザ装置は、前記ユーザドメインのメンバーであるとともに前記ユーザドメインに関連するコンテンツへのアクセス権を有し、
個々のユーザ装置は、前記個々のユーザ装置が前記ユーザドメインのメンバーであり該ユーザドメインとアクティブな状態にある間有効な、所定の特権に従うアクセス権を有し、前記コンテンツ配信システムはさらに、
前記ＯＭＣと通信する複数のドメインサービスプロバイダ（ＤＳＰ）を含み、
前記ＤＳＰは、前記１又はそれ以上のユーザ装置に適用される前記所定の特権を行使するように構成され、
前記ＯＭＣは、前記ＤＳＰ間の所定の特権の行使をサポートするように構成される、
ことを特徴とするコンテンツ配信システム。
【請求項１０】
前記個々のユーザ装置が、一回に１つのユーザドメインへのメンバーシップを許可される、
ことを特徴とする請求項９に記載のコンテンツ配信システム。
【請求項１１】
少なくとも１つのドメインサービスプロバイダ（ＤＳＰ）が、前記ユーザドメインに関連する１又はそれ以上のユーザアカウントを保持し、前記少なくとも１つのＤＳＰにより保持される個々のユーザアカウントが、このＤＳＰを使用するストアに一意に関連付けられ、前記ユーザアカウントは、前記ストアにおいて取得したコンテンツに対する権利を保持する、
ことを特徴とする請求項９に記載のコンテンツ配信システム。
【請求項１２】
前記１又はそれ以上のユーザ装置に適用される前記所定の特権が、前記１又はそれ以上のユーザアカウント内に保持される権利から得られる、
ことを特徴とする請求項１１に記載のコンテンツ配信システム。
【請求項１３】
１つのユーザアカウントから得られ前記個々のユーザ装置に適用される前記所定の特権を行使するためにライセンスを使用する、
ことを特徴とする請求項１２に記載のコンテンツ配信システム。
【請求項１４】
ユーザアカウントが一回に１つのユーザドメインに関連付けられる、
ことを特徴とする請求項１１に記載のコンテンツ配信システム。
【請求項１５】
前記ＤＳＰが、前記１又はそれ以上のユーザ装置の前記ユーザドメインメンバーシップを行使するように構成される、
ことを特徴とする請求項９に記載のコンテンツ配信システム。
【請求項１６】
少なくとも１つのユーザ装置のユーザドメインメンバーシップを行使するために、１つのＤＳＰにより保持されるネイティブドメインが使用される、
ことを特徴とする請求項１５に記載のコンテンツ配信システム。
【請求項１７】
前記ＯＭＣが、第１のユーザ装置がストアで第２のＤＳＰを使用してコンテンツを取得した場合、第１のＤＳＰにおいて行使される前記第１のユーザ装置の特権に関する情報を前記第２のＤＳＰに提供することにより、前記第１のＤＳＰと前記第２のＤＳＰとの間で前記所定の特権を行使できるようにする、
ことを特徴とする請求項９に記載のコンテンツ配信システム。
【請求項１８】
前記所定の特権が、コンテンツを再生してコピーするステップを含む、
ことを特徴とする請求項９に記載のコンテンツ配信システム。
【請求項１９】
前記ＯＭＣが、消費者をユーザドメインに一意に関連付けるオープンマーケット識別符号で前記消費者を認証する、
ことを特徴とする請求項９に記載のコンテンツ配信システム。
【請求項２０】
ユーザ装置と前記コンテンツ配信システムとの間のコンタクト時に、前記ユーザ装置のアクティブな状態が前記ＯＭＣにおいてリフレッシュされる、
ことを特徴とする請求項１９に記載のコンテンツ配信システム。
【請求項２１】
前記アクティブな状態が、所定のコンタクトの無い期間後に非アクティブな状態に変化する、
ことを特徴とする請求項２０に記載のコンテンツ配信システム。
【請求項２２】
前記ユーザドメインのメンバーとして許可されるユーザ装置の数が所定の最大数に制限される、
ことを特徴とする請求項１９に記載のコンテンツ配信システム。
【発明の詳細な説明】
【技術分野】
【０００１】
本発明は、一般にコンテンツ配信に関し、より具体的には、オープンマーケット配信モデルを利用するコンテンツ配信に関する。
【背景技術】
【０００２】
ダウンロード販売(Electronic Sell-Through)（「ＥＳＴ」）などのデジタル配信システム及び方法により、消費者はデジタルコンテンツを電子的に購入できるようになる。デジタルで配信されるコンテンツの例として、インターネット上で販売するために供給されるＥＳＴビデオ及び音楽ファイルが挙げられる。消費者は、適合する装置上で見たり又は聴いたりするためのコンテンツを購入及びダウンロードし、一定数のコンテンツのコピーを作成することを許可され得る。
【０００３】
従来より、オンラインストアは、ターゲットユーザ装置の要件に従う独自仕様のフォーマットでデジタルコンテンツを利用できるようにしている。さらに、多くの場合オンラインストアは、支払い手続き、及びコンテンツのダウンロード、記憶、複製及びアクセス手順などの様々なビジネスモデル及び使用モデルを実現している。
【発明の概要】
【発明が解決しようとする課題】
【０００４】
１つの特定の問題をはらむ使用モデルは、コンテンツ購入後に消費者に許可される最大コピー回数を課す。例えば、消費者による１回のコンテンツのコピーを４コピーに制限することができる。２つのコピーは、直ぐに消費者のコンピュータ及び携帯機器に使用される。しかしながら、コンピュータハードドライブ及び携帯機器の故障により、最終的に消費者が使用できるコピーが残っていないという状況が生じる恐れがある。
【０００５】
オンラインストアにより課せられる様々なこのような要件は、単一のユーザ装置のプラットフォーム、単一のメディアフォーマット、及び（オンラインストアなどのネットワークサービスのような）単一のコンテンツソースで構成される「サイロ」に消費者を閉じ込めがちである。これらのサイロサービスからコンテンツを購入する消費者は、自分たちが所有している可能性のある、この独自のサイロがサポートしていない他の装置上でこれらのコンテンツにアクセスすることはできない。この結果、消費者は１つ（又はわずかな数）を除いて全てのシステムを使用できなくなるので、これらの種類の制約は、消費者が認識する、全ての電子コンテンツ配信システムを含む「エコシステム」の価値を低下させがちである。
【課題を解決するための手段】
【０００６】
本発明の実施構成は、オープンマーケットモデルを使用したコンテンツ配信のための方法及びシステムを提供し、ユーザドメインのメンバーである複数のユーザ装置が、ユーザドメインに関連するコンテンツへの実質的に自由なアクセス権を有する。
【０００７】
１つの実施構成では、１又はそれ以上のユーザ装置のためのコンテンツ配信方法を開示する。この方法は、１又はそれ以上のユーザ装置を１つのユーザドメインに関連付けるステップと、ユーザドメインにリンクされた１又はそれ以上のユーザアカウントを使用してコンテンツを取得するステップと、所定の特権に従って１又はそれ以上のユーザ装置を使用して、取得したコンテンツにアクセスするステップとを含み、１又はそれ以上のユーザ装置の個々のユーザ装置のアクセス権は、個々のユーザ装置がユーザドメインに関連しユーザドメインとアクティブな状態にある間有効となる。
【０００８】
別の実施構成では、１又はそれ以上のユーザ装置のためのコンテンツ配信システムを開示する。このシステムは、オープンマーケットコーディネータ（ＯＭＣ）及びこのＯＭＣと通信する複数のドメインサービスプロバイダ（ＤＳＰ）を含む。ＯＭＣは、ユーザドメインを管理するように構成され、１又はそれ以上のユーザ装置は、ユーザドメインのメンバーであるとともに、このユーザドメインに関連するコンテンツへのアクセス権を有し、個々のユーザ装置は所定の特権に従うアクセス権を有し、このアクセス権は、個々のユーザ装置がユーザドメインのメンバーでありユーザドメインとアクティブな状態にある間有効となる。ＤＳＰは、１又はそれ以上のユーザ装置に適用される所定の特権を行使するように構成される。ＯＭＣは、ＤＳＰ間における所定の特権の行使をサポートするように構成される。
【０００９】
当業者にとっては、以下の詳細な説明及び添付の図面を検討した後に、本発明の他の特徴及び利点が容易に明らかになるであろう。
【００１０】
添付の図面を検討することにより、本発明の詳細が、その構造及び動作の両方に関して部分的に得られる。
【図面の簡単な説明】
【００１１】
【図１】オープンマーケットコンテンツ配信システムの実施構成例を示す図である。
【図２】コンテンツ配信方法の実施構成例を示すフロー図である。
【図３】オープンマーケットコンテンツ配信システムの実施構成例を示す機能ブロック図である。
【図４】コンテンツ配信システムとの最初のコンタクト時における新しいユーザ装置の使用事例を示す機能ブロック図である。
【図５】新しいストアでコンテンツを取得する新しいユーザ装置の使用事例を示す機能ブロック図である。
【図６】新しいストアでコンテンツを取得する既存のユーザ装置の使用事例を示す機能ブロック図である。
【図７】異なるデジタル権利の管理を使用してコンテンツを取得する新しいユーザ装置の使用事例を示す機能ブロック図である。
【図８】異なるユーザ装置を使用してコンテンツを取得するリピート消費者の使用事例を示す機能ブロック図である。
【図９Ａ】ユーザ装置を異なるユーザドメインに移した結果を示す図である。
【図９Ｂ】ユーザ装置を異なるユーザドメインに移した結果を示す図である。
【図１０Ａ】オープンマーケットコンテンツ配信システムを実施するコンピュータシステムを示す図である。
【図１０Ｂ】オープンマーケットコンテンツ配信システムを実施するコンピュータシステムを示す図である。
【発明を実施するための形態】
【００１２】
本明細書で開示するいくつかの実施構成は、ドメインコンセプトを使用した「オープンマーケット」システムの形のコンテンツ配信を提供する。ドメインは、「ユーザドメイン」、「消費者ドメイン」、又は「サービス管理ドメイン」と呼ばれることもある。ユーザドメインでは、登録装置の組が、消費者を購入したコンテンツに自由にアクセスできるようにする。コンテンツはユーザドメインに関連付けられ、ユーザドメインに登録した装置上でのみコンテンツを再生することができる。本発明の実施構成は、デジタルミレニアム著作権法（ＤＭＣＡ）保護、関連する義務、再配信の禁止、制御された共有、加入サポート、レンタルサポート、ドメイン装置上におけるコンテンツ再生、アップグレード経路、バックアップ、拡張性、及びダウンロード販売（ＥＳＴ）販売モデルへの対策を含む。
【００１３】
１つの実施構成では、オープンマーケットシステムが、ユーザドメインと複数のベンダ（「コンテンツソース」、「ストアフロント」、「ストア」）との間のトランザクションを可能にする。オープンマーケットシステムは、承認済みフォーマットにより定義された規格に従って、及びシステムへのあらゆるエントリポイントにおいて消費者に一定かつ整合性のあるトランザクション経験を提供する単一の使用モデルに従って動作する。消費者が、ストアフロント及びユーザ装置を選択することができるので、配信エコシステムの全体的な価値が高まる。拡張性により、新しいストアフロント及び消費者の両方がオープンマーケットモデルに自由に参加できるようになる。従って、新しい種類のストアも同様に可能となる。
【００１４】
この実施構成では、オープンマーケットメディア使用モデルは、登録済み装置の単一のドメインの範囲内での無制限アクセス、コンテンツアイテムの（ＤＶＤバックアップなどの）離散的な媒体への１つのエクスポート、及び「強力な」認証を使用したドメインの外部のリモートアクセスを含む。例えば、ユーザドメインを（１２台などの）所定のメンバー装置に制限するための規則、個々のユーザ装置のメンバーシップを１度に１つのみのユーザドメインに制限するための規則、（更新可能日以外の１８０日などの）アクティブでない一定の日数後に装置のドメインメンバーシップの満了を要求するための規則、及びユーザアカウントの単一のユーザドメインとの関連性をその時々に要求するための規則を課すことができる。
【００１５】
オープンマーケット配信モデルへの参加者には様々な役割を割り当てることができる。例えば、コンテンツプロバイダが小売業者にコンテンツの使用許可を与え、ドメインサービスプロバイダがデジタル権利の管理（ＤＲＭ）ドメインを管理してライセンス及びコンテンツフルフィルメントサービスを提供し、小売業者が消費者にストアフロントサービスを提供してオープンマーケットコンテンツを販売し、装置メーカーが対応するオープンマーケット装置を製造してオープンマーケットコンテンツを再生し、オープンマーケットコーディネータ（ＯＭＣ）が一意のオープンマーケットドメイン識別情報を管理してドメインサービスプロバイダ（ＤＳＰ）間の相互運用性を容易にすることができる。
【００１６】
１つの実施構成では、複数のＤＳＰの個々のドメインサービスプロバイダが、複数のオープンマーケットインターフェイスと、権利ロッカー(locker)と、各々が少なくとも１つのＤＲＭタイプを管理できる複数のＤＲＭライセンスサーバと、各々が少なくとも１つのＤＲＭタイプを管理できる複数のＤＲＭドメインマネージャとを含む。個々のＤＳＰには、通常オープンマーケットストアとして実現される少なくとも１つのコンテンツソースが関連付けられる。
【００１７】
ストアは消費者にオープンマーケットコンテンツを販売する。ストアに関連するドメインサービスプロバイダ（ＤＳＰ）は、ストアの「バックエンド」として機能する。ＤＳＰのＤＲＭライセンスサーバは、ＤＳＰに関連するストアが販売した権利を行使するＤＲＭライセンスを生成する。ＤＲＭドメインマネージャは、例えば、ドメインキーなどの低水準ＤＲＭオブジェクトを作成及び管理することにより、オープンマーケットドメインメンバーシップを行使する。ＤＳＰの権利ロッカーは、ＤＳＰに関連するストアで取得したコンテンツに対する権利を保持する。オープンマーケットインターフェイスは、複数の独立したＤＳＰが、集中型ＯＭＣと対話することによりオープンマーケットドメインモデルを実行できるようにする。ＯＭＣは、一意のオープンマーケットドメインＩＤを管理して、ＤＳＰ間の相互運用性に必要な情報の共有をサポートする。
【００１８】
１つの例では、消費者が携帯電話を介してプロモーションの提案を受け、オープンマーケットバージョンの人気テレビ番組を購入する。消費者はショーを選択し、これを自宅のユーザ装置にダウンロードすることを決める。後程、消費者は自宅で、ダウンロードが完了していることに気付いて番組を観る。
【００１９】
別の例では、消費者が、ショートメッセージサービス（ＳＭＳ）のプロモーションを受けて人気の曲をダウンロードする。消費者は、携帯電話で聴くための曲を購入してダウンロードし、後程自宅の消費者のコンピュータ上で、先にダウンロードした曲に関するアルバム及びミュージックビデオのプロモーションを発見する。
【００２０】
別の例では、消費者が飛行機に乗り込むのを待っており、空港のメディアストアキオスクから携帯機器に映画をダウンロードしたいと思う。消費者は映画を選択し、携帯機器でのワンタイムビューか、又はオープンマーケットバージョンかの選択肢を受け取る。オープンマーケットバージョンが選択されてダウンロードされ、フライト中に一部が視聴される。消費者は、自宅で家庭用機器を選択して、映画の残りを中断した場所から視聴することができる。
【００２１】
別の例では、消費者がテレビを見ながら、ラップトップで家族のオープンマーケットドメインにログインする。消費者は、家族用のオープンマーケットライブラリで全ての最近の購入行為及び／又は転送行為を閲覧することができる。リストビュー又はカバービューなどの様々なビューが提供される。消費者は、１又はそれ以上の映画をドメイン内の１又はそれ以上の装置へ転送する。消費者のＨＤＴＶ上に処理されたコンテンツプロバイダからの次のコンテンツ提案を購入して自動的にライブラリに追加することができる。
【００２２】
別の例では、消費者がストアでメディアプレーヤーを買い物する。消費者には、オープンマーケットムービーをプレロードした装置を購入するという選択肢が与えられる。消費者は、ストアでオープンマーケットシステムエントリポイントを使用してムービーを選択し、装置を購入する。
【００２３】
この説明を読んだ後、当業者には様々な他の実施形態及び他の用途において本発明を実施する方法が明らかになるであろう。しかしながら、本明細書では本発明の様々な実施形態について説明するが、これらの実施形態は例示のみの目的で示すものであり、限定的なものではないことを理解されたい。従って、様々な代替実施形態の詳細な説明が、添付の特許請求の範囲に示す本発明の範囲又は外延を限定すると解釈すべきではない。
【００２４】
図１に示すように、オープンマーケット配信システム１００の実施構成例は、オープンマーケットユーザドメイン１２０にリンクされた複数のユーザ装置１１０、１１２、１１４、１１６、１１８を含む。ユーザ装置１１０、１１２、１１４、１１６、１１８は、同時に１つのユーザドメイン１２０にのみリンクすることができる。複数のコンテンツソース１４０、１４２、１４４、１４６も示しており、消費者は、ユーザドメイン１２０により管理されるコンテンツをこれらのコンテンツソースから取得することができる。例えば、コンテンツソース１４０、１４２、１４４、１４６は、様々なフォーマットの及び／又は様々な使用モデルに従う様々な種類のデジタルコンテンツを利用可能にする異なるオンラインストアであってもよい。各コンテンツソース１４０、１４２、１４４、１４６は、ユーザアカウント１３０、１３２、１３４、１３６によりユーザドメイン１２０に関連付けられる。
【００２５】
全てのユーザアカウント１３０、１３２、１３４、１３６を同じ消費者又は１つの「世帯」内の複数の消費者に関連付けることができ、各別個のユーザアカウント１３０、１３２、１３４、１３６が、消費者を各コンテンツソース１４０、１４２、１４４、１４６に関連付ける。また、各ユーザアカウント１３０、１３２、１３４、１３６を同時に１つのユーザドメイン１２０にのみ関連付けることもできる。従って、コンテンツソース１４０、１４２、１４４、１４６からユーザドメイン１２０に入って来るコンテンツは、ユーザアカウント１３０、１３２、１３４、１３６の１つを介して入って来る。従って、コンテンツは、ユーザドメイン１２０に関連するユーザアカウント１３０、１３２、１３４、１３６を介してのみユーザドメイン１２０に入ることができ、ユーザドメイン１２０に関連するユーザ装置１１０、１１２、１１４、１１６、１１８のみがコンテンツにアクセスすることができる。
【００２６】
１つの実施構成では、コンテンツが、コンテンツを取得する際に使用した特定のユーザアカウント１３０、１３２、１３４、１３６にバインドされる。例えば、コンテンツソース１４０から取得したコンテンツアイテム（図示せず）はユーザアカウント１３０にバインドされ、異なるユーザアカウントへ転送することはできない。しかしながら、ユーザアカウント１３０のユーザドメイン１２０との関連を分断して別のユーザドメイン（図示せず）と再設定することができる。このようにして、コンテンツをユーザアカウントレベルにおいて１つのユーザドメインから別のユーザドメインへ転送することができる。対照的に、別の実施構成では、別のユーザドメインにリンクされたユーザアカウントへコンテンツアイテムを転送することによってコンテンツアイテムをそのユーザドメインへ転送することにより、アカウントレベルからコンテンツアイテムレベルまでの区別の精度を調整することができる。
【００２７】
コンテンツはユーザドメイン１２０にリンクされ、ユーザドメイン１２０に関連するユーザ装置１１０、１１２、１１４、１１６、１１８に記憶される。関連するユーザアカウント１３０、１３２、１３４、１３６には、コンテンツに関連する権利が記憶される。この権利が、コンテンツに関してユーザ装置１１０、１１２、１１４、１１６、１１８に適用されるアクセス権を決定する。
【００２８】
例えば、消費者がユーザ装置１１２を使用してコンテンツソース１４２から消費者のユーザアカウント１３２を介してコンテンツアイテムを取得する。コンテンツソース１４２からはコンテンツアイテムに関連する権利も取得され、ユーザアカウント１３２に記憶される。この権利は、例えば、消費者がユーザドメイン１２０に関連するユーザ装置１１０、１１２、１１４、１１６、１１８を使用して作成できるコンテンツアイテムのハードコピー数の制限などのアクセス権を定める。記憶された権利からライセンスが得られ、これを使用してアクセス権を行使する。従って、ライセンスは、コンテンツアイテム、ユーザアカウント１４２における権利、及びユーザ装置１１２に一意に関連付けられる。別の実施構成では、ユーザ装置１１２のみならず他のユーザ装置１１０、１１４、１１６、１１８のいずれにも単一のライセンスが同様に関連付けられる。
【００２９】
図２は、コンテンツ配信方法２００の実施構成例を示すフロー図である。ブロック２２０において、１又はそれ以上のユーザ装置がユーザドメインに関連付けられる。複数のユーザ装置をユーザドメインに関連付けることができるが、コンテンツの取得は１回に１つのユーザ装置でのみ行われる。消費者は、ユーザ装置を使用して最初のコンタクトを行うことによりコンテンツの取得を開始する。１つの実施構成では、ブロック２２０においてユーザ装置をユーザドメインに関連付けるステップが、（ａ）ユーザ装置を使用する消費者が既存のユーザドメインを有することを確実にするための、及び（ｂ）ユーザドメインを設置するための、最初のコンタクトにおける認証を含む。ユーザドメインが存在しない場合、消費者に対して新しいユーザドメインが作成される。一意のオープンマーケットＩＤを使用して、例えば消費者の識別情報を新しいユーザドメインにリンクさせることができる。
【００３０】
別の実施構成では、ブロック２２０においてユーザ装置をユーザドメインに関連付けるステップが、ユーザドメインが保持する「メンバー」ユーザ装置のリストにユーザ装置を登録するステップをさらに含む。全ての登録されたユーザ装置を、１回における唯一のユーザドメインのメンバーとすることができる。従って、消費者が１つのユーザドメインのメンバーであるユーザ装置を売却した場合、この装置をそのユーザドメインの登録から抹消し、新しい所有者に関連するユーザドメインを有するメンバーシップに再登録する必要がある。
【００３１】
ブロック２３０において、ユーザアカウントを介してコンテンツが取得される。上述したように、コンテンツは、オンラインストアなどのコンテンツソースから取得される。ブロック２４０において、コンテンツに関する権利も取得される。上述したように、この権利は、コンテンツに関してユーザ装置に適用されるアクセス権を事前に決定する。このようにして、取得した権利がユーザアカウントに記憶される。
【００３２】
ブロック２５０において、取得した権利からライセンスが得られる。上述したように、ライセンスを使用して、このライセンスにバインドされるユーザ装置上で（権利により定められる）特権を行使する。１つの実施構成では、ライセンスがＤＲＭ方式を実行する。次にブロック２６０において、（ライセンスにより行使される）事前に定めた特権に従う、ユーザ装置（又は複数の装置）によるコンテンツへのアクセスが行われる。
【００３３】
取得したコンテンツはユーザ装置に記憶され、従っていつでもこれにアクセスすることができる。ユーザ装置は、対応するライセンスにより行使されるアクセス権にのみ従うフリーアクセス権を有する。しかしながら大抵の場合、ユーザ装置は、オープンマーケットコンテンツ配信システムとコンタクトすることはないので、この装置がメンバーとなっているユーザドメインとコンタクトしない可能性がある。このことは、装置の機能に応じて自宅で接続され、或いは別様にネットワークに接続された場合にのみコンタクトできる携帯型ユーザ装置に特に当てはまる。１つの実施構成では、ユーザ装置は、所定のタイムアウト制限よりも長い期間ユーザドメインとコンタクトしなかった場合、ユーザドメインとのメンバーシップを失う。従って、ユーザ装置によるコンテンツへのアクセスが継続しているのに、ユーザ装置がユーザドメインとコンタクトしていない期間が所定のタイムアウト制限値を超えるということはない。例えば、１つの実施構成では、ユーザ装置が１８０日のタイムアウト期間の間ユーザドメインとコンタクトしなかった場合、内部ステータスが「アクティブ」から「非アクティブ」に変化し、ユーザ装置は（ユーザ装置に記憶されている）コンテンツへの自身のアクセス権を無効と見なす。この一方で、ユーザ装置が所定のタイムアウト期間が経過する前にユーザドメインとコンタクトした場合、この装置のステータスは内部的に「アクティブ」としてリフレッシュされ、タイムアウト期間がリセットされる。
【００３４】
図３は、オープンマーケットコーディネータ（ＯＭＣ）３１０及び複数のドメインサービスプロバイダ（ＤＳＰ）ＤＳＰ１、ＤＳＰ２を含むオープンマーケットコンテンツ配信システム３００の実施構成例を示す機能ブロック図である。
【００３５】
ＯＭＣ３１０は、システム３００でトランザクションを行う個々の消費者に関連する複数のユーザドメインを管理するように構成されたユーザドメインマネージャ３１２を含む。ＯＭＣ３１０はまた、消費者がユーザドメインに登録されたことを判定するように構成された認証装置３１４を含むこともできる。
【００３６】
（ＤＳＰ１及びＤＳＰ２などの）複数のＤＳＰは、１又はそれ以上のユーザアカウントＵＡ１、ＵＡ３、ＵＡ４を含む。各ＤＳＰは、少なくとも１つのコンテンツソースＳ１、Ｓ２、Ｓ３、Ｓ４と通信する。上述したように、通常、コンテンツソースＳ１、Ｓ２、Ｓ３、Ｓ４はストアであり、消費者はビデオ及び音楽項目などの所望のコンテンツをここから取得することができる。個々のユーザアカウントＵＡ１、ＵＡ３、ＵＡ４は、消費者及びコンテンツソースＳ１、Ｓ２、Ｓ３、Ｓ４の１つに一意に関連付けられ、ＯＭＣ３１０においてユーザのドメインに盛り込まれる。１つの実施構成では、ユーザアカウントが「権利ロッカー」（図示せず）の一部である。
【００３７】
通常、複数のユーザ装置Ｃ１、Ｃ２、及びＣ３は、コンテンツを再生及び／又は閲覧するための装置を含み、携帯機器及び固定機器の両方を含む。ユーザ装置Ｃ３、Ｃ１、又はＣ２を使用して、コンテンツソースＳ１、Ｓ２、Ｓ３、又はＳ４から新しいコンテンツを取得する。これには、適当なユーザアカウントＵＡ１、ＵＡ３、ＵＡ４に記憶されたコンテンツに対する権利を取得するステップが含まれる。（ＤＳＰ１、ＤＳＰ２などの）ＤＳＰは、記憶された権利により定めれるとともに複数のユーザ装置Ｃ３、Ｃ１、及びＣ２に適用される所定の特権を行使するように構成される。１つの実施構成では、所定の特権が、取得したコンテンツを再生及び／又はコピーすることに関する制限を含む。
【００３８】
図示のように、ユーザ装置Ｃ３、Ｃ１、及びＣ２は、それぞれコンテンツソースＳ２、Ｓ３、及びＳ４に接続される。これらの接続は、ユーザ装置Ｃ３、Ｃ１、又はＣ２が、コンテンツ配信システム３００でトランザクションを行うときに行われる。
【００３９】
所望のコンテンツを取得した結果、このコンテンツがユーザ装置Ｃ３、Ｃ１、又はＣ２に記憶される。このコンテンツは、例えば、聴いたり、見たり、又はコピーしたりするためにアクセスを受ける。ユーザ装置Ｃ３、Ｃ１、又はＣ２がシステム３００に接続されていない場合、（ａ）ユーザ装置Ｃ３、Ｃ１、又はＣ２がシステム３００とのコンタクト（例えば、Ｓ１、Ｓ２、Ｓ３、又はＳ４を介してＤＳＰへ）を再設定し、その結果タイムアウトがリセットされるか、又は（ｂ）最大時間制限に達し、その結果コンテンツがユーザ装置Ｃ３、Ｃ１、又はＣ２によりアクセスできなくなるかのいずれかの時点までタイムアウト時間が続く。（図２に関して上述した）１つの実施構成では、ユーザ装置Ｃ３、Ｃ１、又はＣ２の状態は、最大タイムアウト期間に達していない間はアクティブであり、達していれば非アクティブとなる。システム３００とのコンタクトの再設定は、ユーザ装置をアクティブな状態にリフレッシュし、タイムアウト時間をリセットする働きをする。しかしながら、最大タイムアウト時間に達した場合、ユーザ装置Ｃ３、Ｃ１、又はＣ２を、ＯＭＣ３１０で管理されるユーザドメインにその後再度関連付ける必要がある。
【００４０】
説明したように、ＯＭＣ３１０はドメインマネージャ３１２を含む。ドメインマネージャ３１２は、ＯＭＣ３１０の、（ＤＳＰ１、ＤＳＰ２などの）ＤＳＰ間で情報を共有するための機能を手助けして、ユーザ装置Ｃ３、Ｃ１、及びＣ２のコンテンツへのアクセスを調整する。後述する図４〜図９Ｂに示す使用事例は、この調整機能を詳述するものであり、コンテンツ配信システム３００の動作に関して有益である。
【００４１】
２つのＤＳＰ（ＤＳＰ１、ＤＳＰ２）のみを示しているが、複数のＤＳＰがさらに多くを含むことができることを理解できよう。同様に、ＤＳＰで管理できるユーザアカウントの数は、（ＤＳＰ２のＵＡ３及びＵＡ４などの）２つのユーザアカウントに限定されるものではない。さらに、ＤＳＰは、図３に示す４つ（Ｓ１、Ｓ２、Ｓ３、Ｓ４）よりも多くのコンテンツソースを処理することができる。通常、単一のユーザドメインに関連付けることができるユーザ装置Ｃ３、Ｃ１、及びＣ２の数は、ポリシにより所定の最大数に制限される。１つの実施構成では、例えば許容可能な最大数は１２である。
【００４２】
図４は、コンテンツ配信システム３００との最初のコンタクトにおける新しいユーザ装置の使用事例を示す機能ブロック図である。図示のように、複数のＤＳＰ（ＤＳＰ１、ＤＳＰ２）がＯＭＣ３１０と通信している。１つの実施構成では、ＯＭＣ３１０とＤＳＰとの間の通信が、オープンマーケットインターフェイス（図示せず）により容易化される。説明を目的としてユーザドメイン４４４のみを示しているが、ＯＭＣ３１０は、複数のユーザドメインを管理するように構成される。図示のように、ユーザドメイン４４４には、オープンマーケットインターフェイスの実施構成に基づいて、ＵＲＬ例のＢＯＢ．ＯＭ．ＮＥＴが組み入れられる。
【００４３】
ＤＳＰ（ＤＳＰ１、ＤＳＰ２）は、ＤＲＭタイプＡ及びＢモデルの実装を専門とするＤＲＭドメインマネージャ４０４、４１２、４２０、４２８、及びＤＲＭタイプＡ及びＢ特権を行使するためのＤＲＭライセンスサーバ４０８、４１６、４２４、及び４３２を含む。説明を目的として２つのＤＲＭモデルのみ（すなわち、ＤＲＭ  Ａ及びＢ）を示しているが、その他の多くの種類の権利管理モデルも考えられることを理解できよう。
【００４４】
この例では、ＤＳＰ１がコンテンツソースＳ１及びＳ２とやりとりし、ＤＳＰ２がコンテンツソースＳ３及びＳ４とトランザクションを行い、消費者は、ユーザ装置Ｃ１を使用してＳ３と、Ｃ２を使用してＳ４と、及びＣ３を使用してＳ２とトランザクションを行う。この例、及び以下の例では、コンテンツソースＳ１、Ｓ２、Ｓ３、及びＳ４はストア（オンライン又はオフライン）を表す。
【００４５】
消費者は、Ｃ１を使用してＳ３からオープンマーケットコンテンツを選択することによりトランザクションを開始する。消費者は、ＤＳＰ２が管理するＳ３のためのユーザアカウント４３４を作成するように促される。この例では、ユーザアカウント４３４に「ボブ３」という名前が割り当てられている。
【００４６】
消費者がオープンマーケットユーザドメインを有していないので、ＯＭＣ３１０においてオープンマーケットドメイン４４４が消費者のために作成されることを示している。消費者は、単一のユーザドメイン４４４を許可され、消費者とユーザドメイン４４４とをリンクするために一意のオープンマーケットＩＤが割り当てられる。
【００４７】
上述したように、オープンマーケットインターフェイスは、ＤＳＰ（ＤＳＰ１、ＤＳＰ２）間の通信を容易にすることができる。図示のように、ユーザドメイン４４４に一意のユニバーサルリソースロケータ（ＵＲＬ）「ＢＯＢ．ＯＭ．ＮＥＴ」を割り当てた実施構成例を示している。他の方法でも同様にオープンマーケットインターフェイスを実装できることが理解されよう。
【００４８】
ＤＳＰ２で作成されたユーザアカウント４３４は、ＯＭＣ３１０において消費者のオープンマーケットユーザドメイン４４４に自動的に関連付けられる。この関連を、ユーザドメイン４４４の内側に示す「ボブ３」を含む長円形により表している。１つの実施構成では、ユーザドメイン４４４が、「ボブ３」という識別子を入力したリストを保持する。従って、ユーザドメイン４４４とＤＳＰ２のユーザアカウント４３４との間に論理リンクが作成される。
【００４９】
消費者は、Ｃ１を使用してＳ３からのコンテンツの購入を完了する。Ｓ３の代わりに、コンテンツ購入を表す権利Ｒ１がユーザアカウント４３４に記憶される。ある実施構成では、ユーザアカウント４３４は、ＤＳＰ２を介してトランザクションを行う全ての消費者のユーザアカウントを管理するように構成された、ＤＳＰ２の権利ロッカー（図示せず）の一部である。
【００５０】
コンテンツを取得するためには、Ｃ１をオープンマーケットユーザドメイン４４４に登録する必要がある。ＤＳＰ２はまず、この装置を受け入れるためのオープンスロットがユーザドメイン４４４に存在するかどうかを判断する。１つの実施構成では、登録できるユーザ装置Ｃ１、Ｃ２、Ｃ３の数を制限するポリシが実行される。オープンスロットが存在する場合、ＯＭＣ３１０は、ＤＳＰ２に許可を与えて装置をユーザドメイン４４４に追加する。Ｃ１のユーザドメイン４４４への登録を、内側に示す「Ｃ１」を含む円で表している。
【００５１】
ＤＳＰ２はまた、ＤＲＭ  Ａドメインマネージャ４１２により管理される「ネイティブドメイン」ＮＤ１（４３６）も作成する。ＤＲＭ  Ａによって課されるアクセス権の影響を受けるＳ３又はＳ４を介してコンテンツを取得する複数のユーザ装置Ｃ１、Ｃ２、Ｃ３は、いずれも同時にＮＤ１にリストされるようになる。Ｃ１がネイティブドメインＮＤ１（４３６）に加わり、ユーザドメイン４４４内の「ＮＤ１」を含む円で表すＮＤ１に入ると、ＯＭＣ３１０に通知が行く。
【００５２】
Ｃ１のドメインベースのＤＲＭライセンスＬ１を得るために、コンテンツに対するアクセス権を定める権利Ｒ１が最初にＤＳＰ２で内部的に使用される。ライセンスＬ１は、ＤＲＭ  Ａライセンスサーバ４７４の内側に示す「Ｌ１」を含む円で表される。ライセンスＬ１及びコンテンツがＣ１へ送られ、ここでＬ１が行使するアクセス権に従ってコンテンツにアクセスすることができる。
【００５３】
図５は、新しいストアでコンテンツを取得する新しいユーザ装置の使用事例を示す機能ブロック図である。この例では、消費者が、Ｓ４からオープンマーケットコンテンツを選択することによりトランザクションを開始する。図５に示すように、消費者は、ユーザ装置Ｃ２を使用してＳ４にアクセスする。消費者は、消費者のオープンマーケットＩＤを使用してログインすることを選択する。認証が行われ、ＤＳＰ２における新しいユーザアカウント５３６が消費者のオープンマーケットＩＤに関連付けられ、これがユーザドメイン４４４内の「ボブ４」を含む長円形により表される。この場合、「ボブ４」は、消費者の識別情報を示し、ユーザアカウント５３６がＳ４にバインドされていることを示している。Ｓ４で選択したコンテンツに対応する権利Ｒ２がユーザアカウント５３６に記憶され、これが「Ｒ２」を含む円で表される。
【００５４】
ＤＳＰ２は、消費者のユーザドメイン４４４の装置メンバーカウントが別のユーザ装置Ｃ２を受け入れることを確認し、必要であればＣ２をネイティブドメインＮＤ１（４３６）に接続する。これを、ＮＤ１（４３６）を表すブロックの内側の「Ｃ２」を含む円で表している。次にＤＳＰ２は、Ｃ２のＮＤ１（４３６）への接続をＯＭＣ３１０に通知し、ＯＭＣ３１０がユーザドメイン４４４にこれを入力し、このことを「Ｃ２」を含む円で表している。ＤＲＭ  Ａライセンスサーバ４７４の内側の「Ｌ２」を含む円で表したＤＲＭ  Ａに基づくライセンスＬ２が権利Ｒ２から得られ、コンテンツと共にＣ２へ送られる。
【００５５】
図６は、新しいストアでコンテンツを取得する既存のユーザ装置の使用事例を示す機能ブロック図である。この例では、消費者がＣ１を使用して、ＤＳＰ１をバックエンドとするＳ２においてオープンマーケットコンテンツを選択する。消費者は、消費者のオープンマーケットＩＤを使用してユーザドメイン４４４で認証を行い、このＩＤに対する新しいユーザアカウント６３０がＤＳＰ１において作成される。新しいユーザアカウント６３０が「ボブ２」として識別されて、消費者の識別情報、及びユーザアカウント６３０がＳ２にバインドされていることを示す。ユーザアカウント６３０と共に権利Ｒ３が記憶される。ＤＳＰ１は、Ｃ１のネイティブバインディングの存在に関してＯＭＣ３１０に問い合わせを行う。ＯＭＣ３１０は、ユーザドメイン４４４内に保持されるＣ１の、ＤＳＰ２におけるネイティブドメインＮＤ１（４３６）とのバインディングのリストに従って確認を送る。ＤＳＰ１のＤＲＭ  Ａライセンスサーバ４０８における権利Ｒ３からＤＲＭライセンスＬ３が得られ、Ｃ１へ送られる。
【００５６】
このようにして、ＯＭＣ３１０は、ＤＳＰ１とＤＳＰ２との間の相互運用性を容易にする。ユーザドメイン４４４に記憶された情報をＤＳＰ１とＤＳＰ２との間で共有する結果、ＤＳＰ２においてＮＤ１（４３６）にバインドされているユーザ装置Ｃ１はＤＳＰ２が生成したライセンスＬ３を受信し、ＤＳＰ２をバックエンドとするＳ２から取得したコンテンツに関するアクセス権を行使する。
【００５７】
図７は、異なるデジタル権利の管理を使用してコンテンツを取得する新しいユーザ装置の使用事例を示す機能ブロック図である。この例では、消費者が新しい装置Ｃ３を使用して、ＤＳＰ１をバックエンドとするＳ２で買い物をする。消費者は、消費者のオープンマーケットＩＤを使用してユーザドメイン４４４で認証を行う。図６に関して説明したように、消費者は既にＳ２で購入のトランザクションを行っているので、消費者をＳ４にバインドするＤＳＰ２には既にユーザアカウント６３０が存在する。図示のように、Ｓ２でＣ３を使用して購入したコンテンツに対する権利Ｒ４が、以前に購入した権利Ｒ３と共にユーザアカウント６３０に記憶される。ＤＳＰ１は、消費者のユーザドメイン４４４におけるオープン装置スロットに関してＯＭＣ３１０に問い合わせを行う。ＤＳＰ２上の新しいネイティブドメインＮＤ２（７４０）が作成されて、以前にシステム３００とトランザクションを行ったことのない新しいユーザ装置Ｃ３を受け入れる。図示のように、Ｃ３がネイティブドメインＮＤ２（７４０）に加わり、ＯＭＣ３１０に通知が行き、ユーザドメイン４４４にＮＤ２及びＣ３を表す入力が行われる。権利Ｒ４から得られたＤＲＭ  Ｂに基づく新しいライセンスＬ４が、ＤＳＰ１のＤＲＭ  Ｂライセンスサーバ４２４で作成され、購入したコンテンツと共にＣ３へ送られる。このようにして、ＯＭＣ３１０が、ＤＳＰ１においてＣ３の新しいンネイティブドメインＮＤ２（７４０）の作成を手助けする一方で、消費者の他のユーザ装置Ｃ１及びＣ２が、ＮＤ１（４３６）と共にＤＳＰ２にネイティブにバインドされる。
【００５８】
図８は、異なるユーザ装置を使用してコンテンツを取得するリピート消費者の使用事例を示す機能ブロック図である。この例では、消費者がＣ３を使用して、ＤＳＰ２をバックエンドとするＳ３で買い物をする。（一方で、図７に示す前回の例では、消費者はＣ３を使用して、ＤＳＰ１をバックエンドとするＳ２でコンテンツを購入した。）消費者は、ＯＭＣ３１０においてオープンマーケットＩＤで認証を行い、トランザクションが進行する。Ｓ３においてＣ３により購入されたコンテンツに対する権利Ｒ５がＤＳＰ２内のユーザアカウント４３４に記憶され、消費者をこのコンテンツに関してＳ３にバインドする。ＤＳＰ２は、ＤＳＰ１ではＮＤ２（７４０）であるＣ３のネイティブドメインに関してＯＭＣ３１０に問い合わせを行う。ネイティブドメインＮＤ２は、ＤＲＭ  Ｂの下で動作する。この結果、ＤＳＰ２のＤＲＭ  Ｂライセンスサーバ４３２において、権利Ｒ５から得られ、ＤＲＭ  Ｂに基づき、Ｃ３にバインドされた新しいＤＲＭライセンスＬ４が作成され、購入したコンテンツと共にＣ３へ送られる。このようにして、ＯＭＣ３１０は、ＤＳＰ１にネイティブにバインドされたユーザ装置Ｃ３のコンテンツの購入をＳ３及びＤＳＰ２を介して手助けする。
【００５９】
別の実施構成では、複数のＤＳＰにおける消費者の権利をユーザ装置において統合することができる。引き続き図８を参照すると、Ｃ１を使用する消費者が、オープンマーケットユーザドメイン４４４に関連する購入した権利の全てを特定したいと思う。しかしながら、消費者はＳ３及びＤＳＰ２を介してコンテンツ配信システム３００に参加しているので、他の場所に存在する権利を特定するためにＯＭＣ３１０のサポートを伴わずに利用できるのは、ユーザアカウント４３４に記憶され消費者及びＳ３に関連付けられた権利Ｒ１及びＲ５のみである。従って、消費者によるシステム３００全体内の権利に対する要求時には、ＤＳＰ２は、ユーザドメイン４４４に関連する全てのユーザアカウントのロケーションをＯＭＣ３１０から要求する。これに応じて、例えばＯＭＣ３１０はユーザアカウント６３０、４３４、５３６（すなわち、ボブ２、ボブ３、及びボブ４）のリストをＣ１へ戻す。このリストにより、Ｃ１は、適当なＤＳＰ上にユーザアカウント６３０、４３４、５３６と共に直接インターフェイス（図示せず）を呼び出すことができる。権利を表すトークンがＣ１へ戻され、ここでこれらが統合される。このようにして、例えば消費者は、家族用のオープンマーケット「ライブラリ」で全ての最新の購入及び／又は転送行為を閲覧することができる。リストビュー又はカバービューなどの様々なライブラリのビューを提供することができる。消費者は、１又はそれ以上のムービーをユーザドメイン内の１又はそれ以上のユーザ装置へ転送することができる。
【００６０】
他の実施構成では、Ｃ１で権利を統合する代わりに、例えば「ｒｅａｌｌｙ  ｓｉｍｐｌｅ  ｓｙｎｄｉｃａｔｉｏｎ」（ＲＳＳ）を介して権利を公表し、ＯＭＣ又はユーザ指定リポジトリにおいてオンラインで権利を統合し、或いはユニバーサルプラグ及びプレイ（ＵＰｎＰ）を介してローカルエリアネットワーク（ＬＡＮ）内で権利を再ブロードキャストすることができる。
【００６１】
消費者が、ユーザ装置のメンバーシップを第１のユーザドメインから第２のユーザドメインに変更したいと思う可能性がある。図９Ａ及び図９Ｂを参照すると、１つの実施構成では、例えば消費者（「ボブ」）が、ユーザ装置Ｃ１の所有権を別の消費者（「ジェーン」）に移したいと思っている。ジェーンは、Ｃ１をユーザドメイン９４８のメンバーとして登録したいと思う。
【００６２】
図９Ａは、ユーザドメイン４４４内のＣ１のメンバーシップを示している。ユーザドメイン４４４からＣ１を削除することを要求する通信がＯＭＣ３１０に対して行われる。ユーザドメイン４４４内に保持されるリストからＣ１を削除することに加え、Ｃ１は、ＤＳＰ２のＮＤ１（４３６）からも削除される（例えば図８を参照）。Ｃ１がユーザドメイン４４４及びＮＤ１（４３６）から削除されると、ジェーンは、図４に関して説明したように同様に進めてＣ１をユーザドメイン９４８に追加する。
【００６３】
１つの実施構成では、Ｃ１は、ユーザドメイン４４４内でメンバーシップを獲得した方法と同じ方法で、Ｓ３及びＤＳＰ２を介してユーザドメイン９４８内でメンバーシップを獲得することができる。Ｃ１をユーザドメイン９４８に加えた結果、ジェーン及びＳ３にバインドされたネイティブドメインとともにＣ１がＤＳＰ２上に加わることになる。或いは、上述したように、ジェーンへの移行後にＣ１を使用して、ボブが様々なストアＳ２、Ｓ３、Ｓ４を介して既に取得したコンテンツにアクセスすることができる。コンテンツ配信システム３００とコンタクトしていない間は、事前に定めたタイムアウト時間の中断(toll)が開始する。タイムアウト時間の終了後にＣ１がシステム３００とコンタクトを行う場合、Ｃ１は、もはやユーザドメイン４４４にバインドされておらず、基本的にいずれのユーザドメインにもメンバーシップの無い新しいユーザ装置になる。従って、Ｃ１上のコンテンツにはもはやアクセスすることができず、ジェーンは新しいトランザクションに参加して新しいコンテンツを取得することができる。
【００６４】
別の実施構成では、ユーザアカウント全体を異なるユーザドメインに同様に移動させることができる。図８を参照すると、消費者ボブ及びＳ３にバインドされたユーザアカウント４３４を示している。アカウント４３４の移動は、アカウント４３４（すなわち、「ボブ３」を含む長円形）をユーザドメイン４４４から分離し、図９Ａ及び図９Ｂに示すユーザドメイン９４８などの別のユーザドメインに再度関連付けることにより達成される。
【００６５】
１つの実施構成では、ユーザドメイン４４４からユーザアカウント４３４を削除すると、ユーザアカウント４３４に記憶された権利Ｒ１から得られたライセンスＬ１にバインドされたユーザ装置は、ライセンスＬ１を利用できないようになる。例えば、図４を参照すると、Ｃ１はもはやＬ１を利用することができない。従って、Ｃ１上では、もはや権利Ｒ１に関連するコンテンツにアクセスすることはできない。
【００６６】
別の実施構成では、ユーザアカウントが単一のユーザドメインにのみバインドされるように要求するポリシを緩和することにより、ユーザアカウントが複数のユーザドメインにバインドされるようにすることができる。
【００６７】
上述の実施構成は、１又はそれ以上のユーザ装置のコンテンツ配信を可能にする以下の方法及びシステムとして一般化することができる。
【００６８】
この方法は、ユーザ装置を１つのユーザドメインに関連付けるステップと、ユーザドメインにリンクされた１又はそれ以上のユーザアカウントでコンテンツを取得するステップと、所定の特権に従うユーザ装置で、取得したコンテンツにアクセスするステップとを含む。個々のユーザ装置のアクセス権は、装置がユーザドメインに関連付けられアクティブな状態にある間有効である。
【００６９】
システムは、ユーザドメインを管理するためのオープンマーケットコーディネータと、このオープンマーケットコーディネータと通信する複数のドメインサービスプロバイダとを含む。ユーザ装置はユーザドメインのメンバーであり、ユーザドメインに関連するコンテンツへのアクセス権を有する。個々のユーザ装置は所定の特権に従うアクセス権を有し、このアクセス権は、個々のユーザ装置がユーザドメインのメンバーでありユーザドメインとアクティブな状態にある間有効である。ドメインサービスプロバイダは、ユーザ装置に適用される所定の特権を行使するように構成される。オープンマーケットコーディネータは、ドメインサービスプロバイダ間で所定の特権の行使をサポートするように構成される。
【００７０】
図１０Ａは、コンピュータシステム１０００及びユーザ１００２の表現を示している。ユーザ１００２は、コンピュータシステム１０００を使用してコンテンツ配信を実行することができる。コンピュータシステム１０００は、オープンマーケットモデルを実施するコンテンツ配信システム１０１６を記憶し、実行する。
【００７１】
図１０Ｂは、本発明の１つの実施構成によるコンテンツ配信システム１０１６に対応するコンピュータシステム１０００を示す機能ブロック図である。コントローラ１０１０は、プログラマブルプロセッサであり、コンピュータシステム１０００及びその構成要素の動作を制御する。コントローラ１０１０は、メモリ１０２０又は内蔵コントローラメモリ（図示せず）から命令をロードし、これらの命令を実行してシステムを制御する。この実行において、コントローラ１０１０は、コンテンツ配信システム１０１６をソフトウェアシステムとして提供する。或いは、コントローラ１０１０又はコンピュータシステム１０００内の別個の構成要素としてこのサービスを実現することができる。
【００７２】
メモリ１０２０は、コンピュータシステム１０００の他の構成要素が使用するためのデータを一時的に記憶する。１つの実施構成では、メモリ１０２０がＲＡＭとして実装される。１つの実施構成では、メモリ１０２０が、フラッシュメモリ及び／又はＲＯＭなどの長期又は永久メモリを含む。
【００７３】
記憶装置１０３０は、コンテンツ配信システム１０１６が使用するデータの記憶などを行う、コンピュータシステム１０００の他の構成要素が使用するためのデータを一時的に又は長期間記憶する。１つの実施構成では、記憶装置１０３０はハードディスクドライブである。
【００７４】
メディア装置１０４０は、取り外し可能媒体を受け入れ、データを読み取り及び／又は挿入された媒体にデータを書き込む。１つの実施構成では、メディア装置１０４０は光ディスクドライブである。
【００７５】
ユーザインターフェイス１０５０は、コンピュータシステム１００のユーザからユーザ入力を受け取って情報をユーザに提示するための構成要素を含む。１つの実施構成では、ユーザインターフェイス１０５０は、キーボード、マウス、オーディオスピーカー、及びディスプレイを含む。コントローラ１０１０は、ユーザからの入力を使用してコンピュータシステム１０００の動作を調整する。
【００７６】
Ｉ／Ｏインターフェイス１０６０は、外部記憶装置又は（プリンタ又はＰＤＡなどの）補助装置のような対応するＩ／Ｏ装置に接続するための１又はそれ以上のＩ／Ｏポートを含む。１つの実施構成では、Ｉ／Ｏインターフェイス１０６０のポートは、ＵＳＢポート、ＰＣＭＣＩＡポート、シリアルポート、及び／又はパラレルポートなどのポートを含む。別の実施構成では、Ｉ／Ｏインターフェイス１０６０は、外部装置と無線通信するための無線インターフェイスを含む。
【００７７】
ネットワークインターフェイス１７０は、イーサネット（登録商標）接続をサポートするＲＪ−４５又は（限定的な意味ではないが、８０２．１１を含む）「Ｗｉ−Ｆｉ」インターフェイスなどの有線及び／又は無線ネットワーク接続を含む。
【００７８】
（システム通信バスなどの）システム通信経路１０８０は、メディア装置１０４０、ユーザインターフェイス１０５０、Ｉ／Ｏインターフェイス１０６０、ネットワークインターフェイス１０７０、記憶装置１０３０、メモリ１０２０、及びコントローラ１０１０間のデータ及び制御情報の転送を行う。
【００７９】
コンピュータシステム１０００は、コンピュータシステムに特有の（電源、冷却、オペレーティングシステムなどの）追加のハードウェア及びソフトウェアを含むが、説明を簡単にするために図１０Ｂにはこれらの構成要素は具体的に示していない。その他の実施構成では、（異なるバス又は記憶装置の構成又はマルチプロセッサの構成などの）コンピュータシステムの異なる構成を使用することができる。
【００８０】
本発明の様々な実施構成は、電子ハードウェア、コンピュータソフトウェア、又はこれらの技術の組合せの形で実現される。いくつかの実施構成は、プログラマブルプロセッサ又はコンピュータにより実行される１又はそれ以上のコンピュータプログラムを含む。例えば、図３を参照すると、オープンマーケットコーディネータ及びドメインサービスプロバイダは各々、１又はそれ以上のプログラマブルプロセッサを含むことができる。一般に、各コンピュータは、１又はそれ以上のプロセッサ、（ハード及びフロッピー（登録商標）ディスクドライブ、ＣＤ−ＲＯＭドライブ、及び磁気テープドライブなどの揮発性又は不揮発性メモリモジュール及び永続的光及び磁気記憶装置などの）１又はそれ以上のデータ記憶構成要素、（マウス及びキーボードなどの）１又はそれ以上の入力装置、及び（ディスプレイコンソール及びプリンタなどの）１又はそれ以上の出力装置を含む。
【００８１】
通常、コンピュータプログラムは、永続的記憶媒体に記憶された後で実行時にメモリにコピーされる実行可能コードを含む。プロセッサは、メモリから規定の順序でプログラム命令を取り出すことによりコードを実行する。プログラムコードを実行した場合、コンピュータは、入力及び／又は記憶装置からデータを受信し、データ上の動作を実行し、その後結果としてのデータを出力し及び／又は記憶装置に供給する。
【００８２】
本発明の様々な例示的な実施構成について説明した。しかしながら、当業者であれば、追加の実施構成も可能であり、これらも本発明の範囲内にあることを理解するであろう。例えば、上記の説明は、ユーザ装置を同時に１つのユーザドメインにのみ属することができるようにするポリシを明確に示しているが、他の実施構成では、ユーザ装置が複数のユーザドメインに属することができる。別の例では、ユーザアカウントを単一のユーザドメインにのみバインドできるようにするポリシを緩和して、ユーザアカウントが複数のユーザドメインにバインドさせるようにすることができる。
【００８３】
従って、本発明は上述の実施構成のみに限定されるものではない。
【図１】
2010539607.tif 000003
【図２】
2010539607.tif 000004
【図３】
2010539607.tif 000005
【図４】
2010539607.tif 000006
【図５】
2010539607.tif 000007
【図６】
2010539607.tif 000008
【図７】
2010539607.tif 000009
【図８】
2010539607.tif 000010
【図９Ａ】
2010539607.tif 000011
【図９Ｂ】
2010539607.tif 000012
【図１０Ａ】
2010539607.tif 000013
【図１０Ｂ】
2010539607.tif 000014
【国際調査報告】
2010539607.tif 000015
2010539607.tif 000016